(57)【要約】【課題】通信装置の意匠の制約を軽減するアンテナを提供する。【解決手段】第１方向に平行である線状の複数の電極を含む第１方向電極群と、前記第１方向に直交する第２方向に平行である線状の複数の電極を含む第２方向電極群とを含むタッチパネルであって、前記第１方向電極群に含まれる電極のうち、少なくとも１つの電極の長さが、所定の無線通信で使用される電波の波長に基づいた長さである、タッチパネルとする。【選択図】図２
2018049463.tif 000002
【特許請求の範囲】
【請求項１】
第１方向に平行である線状の複数の電極を含む第１方向電極群と、前記第１方向に直交する第２方向に平行である線状の複数の電極を含む第２方向電極群とを含むタッチパネルであって、
前記第１方向電極群に含まれる電極のうち、少なくとも１つの電極の長さが、所定の無線通信で使用される電波の波長に基づいた長さである、
タッチパネル。
【請求項２】
前記第１方向電極群の電極は、それぞれ、当該電極が存在する一直線上に、他の前記第１方向電極群の電極を含み、当該２つの電極は、所定距離、離れて配置されている、
請求項１に記載のタッチパネル。
【請求項３】
前記２つの電極のうち一方の電極の長さは、前記波長に基づいた長さである、
請求項１に記載のタッチパネル。
【請求項４】
請求項１から３のいずれか１つに記載のタッチパネルと、
前記第２方向電極群の電極に対し、１電極ずつ、タッチ位置検出用のパルス信号を出力し、前記第１方向電極群に含まれる前記波長に基づいた長さを有する電極に、前記所定の無線通信の無線信号を出力する制御部と
を備える通信装置。
【請求項５】
請求項３に記載のタッチパネルと、
前記第１方向電極群の前記波長の長さに基づいた電極及び当該電極が存在する一直線上に存在する電極の組に対し、１組ずつ、前記所定の無線通信の無線信号を出力する制御部と、
を備える通信装置。
【請求項６】
請求項４または５に記載の前記通信装置を含む、車両に搭載される車載装置。
【請求項７】
請求項４または５に記載の前記通信装置を含む携帯端末。
【請求項８】
第１方向に平行である線状の複数の電極を含む第１方向電極群と、前記第１方向に直交する第２方向に平行である線状の複数の電極を含む第２方向電極群とを含むタッチパネルであって、前記第１方向電極群に含まれる電極のうち、少なくとも１つの電極の長さが、所定の無線通信で使用される電波の波長に基づいた長さであるタッチパネルにおいて、
前記第２方向電極群の電極に対し、１電極ずつ、タッチ位置検出用のパルス信号を出力し、前記第１方向電極群に含まれる前記波長に基づいた長さを有する電極に、前記所定の無線通信の無線信号を出力する、
通信方法。
【発明の詳細な説明】
【技術分野】
【０００１】
本発明は、タッチパネル、通信装置、車載装置、携帯端末、及び、通信方法に関する。
【背景技術】
【０００２】
携帯端末や自動車等に搭載されるカーナビゲーション（カーナビ）装置等の車載装置には、無線ＬＡＮ（ＷｉＦｉ）やＢｌｕｅｔｏｏｔｈ（登録商標）等の通信手段が含まれる。通信手段にはアンテナが含まれる。携帯端末や車載装置等の通信装置において、無線ＬＡＮやＢｌｕｅｔｏｏｔｈ等のアンテナは、チップ、板金、基板パターン等で構成されている。
【先行技術文献】
【特許文献】
【０００３】
【特許文献１】国際公開第２００６／１０６９８２号
【発明の概要】
【発明が解決しようとする課題】
【０００４】
通信装置におけるアンテナの配置は、通信装置のデザイン（意匠）に対して制約を与えている。即ち、アンテナで送受信される高周波の電波が、通信装置自体で遮られないように、通信装置の各構成を配置することが求められる。
【０００５】
本発明は、通信装置の意匠の制約を軽減するアンテナを提供することを課題とする。
【課題を解決するための手段】
【０００６】
上記課題を解決するため、本発明は、以下の手段を採用する。
即ち、第１の態様は、
第１方向に平行である線状の複数の電極を含む第１方向電極群と、前記第１方向に直交する第２方向に平行である線状の複数の電極を含む第２方向電極群とを含むタッチパネルであって、
前記第１方向電極群に含まれる電極のうち、少なくとも１つの電極の長さが、所定の無線通信で使用される電波の波長に基づいた長さである、
タッチパネルとする。
【発明の効果】
【０００７】
本発明によれば、通信装置の意匠の制約を軽減するアンテナを提供することができる。
【図面の簡単な説明】
【０００８】
【図１】図１は、通信装置に含まれる表示装置及びタッチパネルの断面を示す図である。
【図２】図２は、タッチパネルに含まれる電極の配置の例を示す図である。
【図３】図３は、タッチパネルの断面の例を示す図である。
【図４】図４は、タッチパネルの回路構成の例を示す図である。
【図５】図５は、コンピュータのハードウェア構成例を示す図である。
【図６】図６は、通信装置におけるタッチ位置検出と無線通信とのタイミングチャートの例１を示す図である。
【図７】図７は、通信装置におけるタッチ位置検出と無線通信とのタイミングチャートの例２を示す図である。
【発明を実施するための形態】
【０００９】
以下、図面を参照して本発明の実施形態について説明する。以下の実施形態の構成は例示であり、本発明は実施形態の構成に限定されない。本実施形態では、車載装置等の通信装置に含まれる表示装置の表面に配置されるタッチパネルを、アンテナとして利用する。
【００１０】
〈実施形態〉
（構成例）
図１は、通信装置に含まれる表示装置及びタッチパネルの断面を示す図である。通信装置１は、タッチパネル１００、表示装置２００を含む。表示装置２００は、情報を表示する表示画面２１０を含む。タッチパネル１００は、表示装置２００の表示画面２１０の表面に配置される。通信装置１の利用者は、タッチパネル１００側から、表示画面２１０を見ることができる。また、通信装置１の利用者は、指などにより、タッチパネル１００を操作することができる。通信装置１は、例えば、携帯電話やタブレット型端末等の携帯端末や車両に搭載される車載装置等である。
【００１１】
タッチパネル１００は、例えば、静電タッチパネルである。静電タッチパネルは、指等が接触した位置の静電容量の変化を検出することで、接触した位置（タッチ位置）を検出する。タッチパネル１００は、通信装置１の入力手段である。
【００１２】
表示装置２００は、液晶ディスプレイや有機ＥＬディスプレイ等の表示手段である。表示装置２００は、通信装置１で必要とされる情報等を利用者に向けて表示する。
【００１３】
タッチパネル１００及び表示装置２００は、通信装置１の制御部２に接続され、制御部２によって制御される。制御部２は、例えば、マイコンによって、実現される。
【００１４】
図２は、タッチパネルに含まれる電極の配置の例を示す図である。図２の例では、タッチパネル１００を外側（図１の上方側）から見た図である。図２の例では、タッチパネル１００は、横方向の電極１１Ａ−１１Ｅと、縦方向の電極１２Ａ−１２Ｇ及び電極１３Ａ−１３Ｇを含む。横方向と縦方向とは直交している。図２の例では、点線の長方形で、表示画面２１０の位置を示している。電極１１Ａ−１１Ｅは、それぞれ、直線状であり、表示画面２１０の横方向の辺に平行である。電極１１Ａ−１１Ｅは、等間隔に配置される。また、電極１２Ａ−１２Ｇ及び電極１３Ａ−１３Ｇは、それぞれ、直線状であり、表示画面２１０の縦方向の辺に平行である。電極１２Ａ−１２Ｇ及び電極１３Ａ−１３Ｇも、それぞれ、等間隔に配置される。電極１２Ａ及び電極１３Ａは、一直線上に配置され、電極１２Ａと電極１３Ａとの間には、所定の間隔のスリットが設けられる。電極１２Ｂ−１２Ｇ及び電極１３Ｂ−１３Ｇについても同様である。ここでは、電極１２Ａ−１２Ｇの長さは、それぞれ、等しい。また、電極１３Ａ−１３Ｇの長さは、それぞれ等しい。電極１２Ａ−１２Ｇ及び電極１３Ａ−１３Ｇは、第１方向電極群の電極の例である。電極１１Ａ−１１Ｅは、第２方向電極群の電極の例である。
【００１５】
図３は、タッチパネルの断面の例を示す図である。図３の例は、図２のＡＡ’の部分の断面の例を示す図である。タッチパネル１００は、第１基板１４、第２基板１５、表面板１６を含む。第１基板１４と第２基板１５との間に、電極１１Ａ−１１Ｅが配置され、第２基板１５と表面板１６との間に、電極１２Ａ−１２Ｇ及び電極１３Ａ−１３Ｇが配置される。第１基板１４が、表示装置２００側である。電極１１Ａ−１１Ｅと、電極１２Ａ−１２Ｇ及び電極１３Ａ−１３Ｇとの位置は、入れ替わってもよい。第１基板１４、第２基板１５、表面板１６は、例えば、透明なガラス板である。第１基板１４、第２基板１５、表面板１６は、絶縁体である。各電極は、透明の導体である。
【００１６】
タッチパネル１００は、横方向に平行に配置された複数の電極と、縦方向に平行に配置
された複数の電極とを、透明な基板に設けている。各電極は、タッチパネル１００の表面（表面板１６側）に接触された時の電極間の静電容量等の変化を検出する電極である。表面板１６は、タッチパネル１００の表面を形成し、タッチパネル１００の電極等を保護する。表面板１６は、表示画面２１０に対応する領域以外の領域を不透明にしてもよい。各電極は、不透明の部分における配線により、制御部２に接続される。
【００１７】
タッチパネル１００におけるタッチ位置の検出の際、制御部２は、例えば、電極１２Ａから、所定のパルス信号を送信する。このとき、図２において電極１２Ａと交差する電極１１Ａ、電極１１Ｂ、電極１１Ｃを介して、制御部２は、当該パルス信号に対応する信号を受信する。交差する電極間には、コンデンサが形成される。制御部２が受信する信号は、電極が交差する位置の周囲（近傍）において、利用者の指等が接触している場合と、接触していない場合とで異なる。交差する部分における電極間のコンデンサの静電容量が、接触している場合と、接触していない場合とで異なるからである。制御部２は、所定のパルス信号を送信する電極を順次切り替えることにより、利用者の指等が接触している位置を検出することができる。電極１２Ａと電極１３Ａとで、同時に、所定のパルス信号を送信してもよい。電極１２Ｂ−１２Ｇ及び電極１３Ｂ−１３Ｇについても同様である。また、ここでは、縦方向の電極から所定のパルス信号を送信するとしたが、横方向の電極１１Ａ−１１Ｅから所定のパルス信号を送信してもよい。
【００１８】
タッチパネル１００における電極の数は、ここに記載したものに限定されるものではない。タッチパネル１００における電極の数を多くすることで、より正確に、接触した位置を検出することができる。
【００１９】
また、制御部２は、電極１２Ａ等に、無線ＬＡＮやＢｌｕｅｔｏｏｔｈ等の無線信号を送信することができる。即ち、電極１２Ａ等を無線ＬＡＮやＢｌｕｅｔｏｏｔｈ等の無線通信の送信アンテナとして、利用する。このとき、電極１２Ａ等の長さを、あらかじめ、無線ＬＡＮやＢｌｕｅｔｏｏｔｈ等で使用する電波の周波数（波長）に応じた長さとする。例えば、電極１２Ａ等の長さを、使用する波長の１／２倍や１／４倍とする。電極１２Ａ等と電極１３Ａ等との間の距離を所定の距離とするために、電極１２Ａ等の長さに応じて、電極１３Ａの長さが決まる。図２の例では、電極１２Ａ−１２Ｇの長さは等しいとしているが、使用する電波の波長に応じて、異なる長さとしてもよい。即ち、各電極は、無線ＬＡＮやＢｌｕｅｔｏｏｔｈ等のアンテナのパターンとなる。アンテナとして使用するタッチパネル１００の電極は、１つであってもよいし、複数であってもよい。また、同様にして、制御部２は、電極１２Ａ等を、無線ＬＡＮやＢｌｕｅｔｏｏｔｈ等の無線通信の無線信号を受信する受信アンテナとして利用することができる。また、電極１１Ａ−１１Ｅや電極１３Ａ−１３Ｇが、アンテナ（送信アンテナ、受信アンテナ）として使用されてもよい。無線ＬＡＮやＢｌｕｅｔｏｏｔｈ等で使用する電波の周波数（波長）に応じた長さとする電極は、表示画面２１０において、タッチされにくい、例えば、表示画面２１０の端に近い電極としてもよい。これにより、当該電極をアンテナとして使用している際に、利用者に表示画面２１０をタッチされても、無線通信への影響を小さくすることができる。
【００２０】
図４は、タッチパネルの回路構成の例を示す図である。制御部２は、アンテナとしての電極１２Ａ等に、無線通信の無線信号（アンテナ出力信号）を増幅して出力すると、アンテナとしての電極１２Ａ等から、無線信号としての電波が送信される。また、制御部２は、アンテナとしての電極１２Ａ等を介して、無線通信の無線信号（アンテナ入力信号）を受信する。制御部２は、受信した信号を増幅して、所定の信号処理を行う。制御部２は、送信のタイミングと、受信のタイミングとが重ならないように、時分割する。
【００２１】
また、制御部２は、電極１２Ａ等に、接触位置検出用の所定のパルス信号（静電タッチ
駆動信号）を出力する。電極１２Ａ等と、これらに交差する電極１１Ａ等により、コンデンサが形成される。制御部２は、パルス信号を出力した電極１２Ａ等と交差する電極１１Ａ等から、パルス信号に対応する信号（静電タッチ受信信号）を受信する。制御部２は、当該信号を解析することにより、利用者の指等の接触位置を検出する。接触位置検出用の所定のパルス信号には、無線通信の無線信号が使用され得る。
【００２２】
通信装置１は、ＰＣ（Personal Computer）、スマートフォン、携帯電話、タブレット
型端末、車両に搭載される車載装置、ＰＤＡ（Personal Digital Assistant）のような専用または汎用のコンピュータ、あるいは、コンピュータを搭載した電子機器を使用して実現可能である。
【００２３】
図５は、コンピュータのハードウェア構成例を示す図である。図５に示すコンピュータ９０は、一般的なコンピュータの構成を有している。図５のコンピュータ９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。コンピュータのハードウェア構成は、図５に示される例に限らず、適宜構成要素の省略、置換、追加が行われてもよい。
【００２４】
コンピュータ９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００２５】
プロセッサ９１は、例えば、ＣＰＵ（Central Processing Unit）やＤＳＰ（Digital Signal Processor）である。プロセッサ９１は、コンピュータ９０を制御し、様々な情報
処理の演算を行う。
【００２６】
メモリ９２は、例えば、ＲＡＭ（Random Access Memory）やＲＯＭ（Read Only Memory）を含む。メモリ９２は、主記憶装置とも呼ばれる。
【００２７】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００２８】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００２９】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１０１２を介して接続される他の外部装置等とデータのやり取りを行うプログラムである。外部装置等には、例えば、他の情報処理装置、外部記憶装置等が含まれる。
【００３０】
入力部９４は、タッチパネル、キーボード、ポインティングデバイス、ワイヤレスリモコン、押しボタン等を含む。また、入力部９４は、カメラのような映像や画像の入力装置
や、マイクロフォンのような音声の入力装置を含むことができる。
【００３１】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００３２】
通信制御部９６は、他の装置と接続し、コンピュータ９０と他の装置との間の通信を制御する。通信制御部９６は、例えば、ＬＡＮ（Local Area Network）インタフェースボード、無線ＬＡＮやＢｌｕｅｔｏｏｔｈなどの無線通信のための無線通信回路、電話通信のための通信回路である。ＬＡＮインタフェースボードや無線通信回路は、インターネット等のネットワークに接続される。
【００３３】
コンピュータ９０で実行される一連の処理は、ハードウェアにより実行させることもできるが、ソフトウェアにより実行させることもできる。
【００３４】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３５】
（動作例１）
図６は、通信装置におけるタッチ位置検出と無線通信とのタイミングチャートの例１を示す図である。図６では、横方向は時刻を示し、縦方向は、各電極から信号が送信されるタイミングを示す。
【００３６】
制御部２は、時刻ｔ１から時刻ｔ２（ここで、ｍ＜ｎであれば、ｔｍ＜ｔｎとする。以下同じ）までの間に、タッチ位置検出用の所定のパルス信号を、電極１１Ａに送信する。制御部２は、電極１１Ａと交差する電極１２Ａ−１２Ｇを介して、当該パルス信号に対応する信号を受信する。制御部２は、受信した信号を電極毎に解析することで、電極１１Ａと他の電極が交差する位置の近傍で、接触の有無（タッチ位置）を検出することができる。
【００３７】
同様に、制御部２は、時刻ｔ３から時刻ｔ４までの間に、タッチ位置検出用の所定のパルス信号を、電極１１Ｂに送信する。制御部２は、電極１１Ｂと交差する電極１２Ａ−１２Ｇを介して、当該パルス信号に対応する信号を受信する。制御部２は、受信した信号を電極毎に解析することで、電極１１Ｂと他の電極が交差する位置の近傍で、接触の有無（タッチ位置）を検出することができる。制御部２は、電極１１Ｃ、電極１１Ｄに対しても、同様に、タッチ位置検出用の所定のパルス信号を送信し、接触の有無を検出する。
【００３８】
さらに、制御部２は、時刻ｔ５から時刻ｔ６までの間に、タッチ位置検出用の所定のパルス信号を、電極１１Ｅに送信する。制御部２は、電極１１Ｅと交差する電極１３Ａ−１３Ｇを介して、当該パルス信号に対応する信号を受信する。制御部２は、受信した信号を電極毎に解析することで、電極１１Ｅと他の電極が交差する位置の近傍で、接触の有無（タッチ位置）を検出することができる。時刻ｔ１から時刻ｔ６までの間に送信されるタッチ位置検出用のパルス信号によって、表示画面の全域にわたって、接触位置の検出を行うことができる。時刻ｔ１から時刻ｔ６までの時間は、利用者等が指等でタッチパネル１００に接触する時間に比べて、非常に短い。時刻ｔ１から時刻ｔ６までの時間は、例えば、１０ｍｓから１００ｍｓ程度である。
【００３９】
この後、制御部２は、時刻ｔ７から時刻ｔ８までの間に、電極１２Ａをアンテナとして
使用して、無線ＬＡＮやＢｌｕｅｔｏｏｔｈ等の無線通信の無線信号を送受信する。ここでは、電極１２Ａの長さは、無線ＬＡＮやＢｌｕｅｔｏｏｔｈ等の無線通信のアンテナとしての長さに合っているとする。このタイミングでは、制御部２は、他のどの電極にも、タッチ位置検出用の所定のパルス信号を送信しない。これにより、制御部２は、電極１２Ａを、アンテナとして、利用することができる。時刻ｔ７から時刻ｔ８までの時間は、例えば、１０ｍｓから１００ｍｓ程度である。
【００４０】
無線通信の時間が終わると、制御部２は、時刻ｔ９以降、時刻ｔ１以降と同様に、タッチ位置検出用の所定のパルス信号の送信、対応する信号の受信、無線通信の無線信号の送受信を行う。これにより、タッチパネル１００は、タッチ位置の検出を行いつつ、無線通信のアンテナとして機能することができる。制御部２は、時刻ｔ２から時刻ｔ３までの間などの、どの電極にも信号が送信されていない時間に、電極１２Ａを受信アンテナとして使用して、無線通信の無線信号を受信してもよい。
【００４１】
（動作例２）
図７は、通信装置におけるタッチ位置検出と無線通信とのタイミングチャートの例２を示す図である。図７では、横方向は時刻を示し、縦方向は、各電極から信号が送信されるタイミングを示す。
【００４２】
制御部２は、時刻ｔ１から時刻ｔ２までの間に、無線ＬＡＮやＢｌｕｅｔｏｏｔｈ等の無線通信の無線信号を、電極１２Ａに送信する。無線信号は、電極１２Ａをアンテナとして、電極１２Ａから出力される。ここでは、電極１２Ａの長さは、無線ＬＡＮやＢｌｕｅｔｏｏｔｈ等の無線通信のアンテナとしての長さに合っているとする。制御部２は、電極１２Ａと交差する電極１１Ａ−１１Ｃを介して、当該無線信号に対応する信号を受信する。ここでは、制御部２は、無線信号をタッチ位置検出用のパルス信号として、使用する。制御部２は、受信した信号を電極毎に解析することで、電極１２Ａと他の電極が交差する位置の近傍で、接触の有無（タッチ位置）を検出することができる。また、制御部２は、時刻ｔ１から時刻ｔ２までの間に、同じ無線信号を、電極１３Ａに送信する。ここでは、電極１３Ａの長さは、無線ＬＡＮやＢｌｕｅｔｏｏｔｈ等の無線通信のアンテナとしての長さに合っていないとする。よって、ここでは、電極１３Ａは、アンテナとしてはほとんど機能しない。制御部２は、電極１３Ａと交差する電極１１Ｄ−１１Ｅを介して、当該無線信号に対応する信号を受信する。制御部２は、受信した信号を電極毎に解析することで、電極１３Ａと他の電極が交差する位置の近傍で、接触の有無（タッチ位置）を検出することができる。
【００４３】
同様に、制御部２は、時刻ｔ１から時刻ｔ２までの間に、無線ＬＡＮやＢｌｕｅｔｏｏｔｈ等の無線通信の無線信号を、電極１２Ｂ、電極１３Ｂに送信する。電極１２Ｂからは、無線通信の無線信号が送信され、電極１２Ｂ、電極１３Ｂと交差する電極からは、無線信号に対応する信号が受信される。制御部２は、受信した信号を電極毎に解析することで、電極１２Ｂまたは電極１３Ｂと他の電極が交差する位置の近傍で、接触の有無（タッチ位置）を検出することができる。制御部２は、電極１２Ｃ−１２Ｅ、電極１３Ｃ−１３Ｅに対しても、同様に、無線信号を送信し、接触の有無を検出する。
【００４４】
時刻ｔ１から時刻ｔ６までの間に送信される無線信号によって、無線信号を送信しつつ、表示画面の全域にわたって、接触位置の検出を行うことができる。時刻ｔ１から時刻ｔ６までの時間は、利用者等が指等でタッチパネル１００に接触する時間に比べて、非常に短い。時刻ｔ１から時刻ｔ６までの時間は、例えば、１００ｍｓ程度である。
【００４５】
また、制御部２は、時刻ｔ２から時刻ｔ３までの間などの、どの電極からも信号が送信されていない時間に、電極１２Ａ等を受信アンテナとして使用して、無線通信の無線信号
を受信する。これにより、時刻ｔ１から時刻ｔ７までの時間において、無線信号の送信、受信を、タッチ位置の検出を行いながら、行うことができる。
【００４６】
制御部２は、時刻ｔ７以降、時刻ｔ１以降と同様に、各電極より、無線信号の送受信を行う。
【００４７】
（実施形態の作用、効果）
通信装置１は、タッチパネル１００のタッチ位置検出用の電極を、無線通信のアンテナとして使用する。タッチパネル１００のタッチ位置検出用の少なくとも１つの電極は、無線通信で使用される電波の波長に基づく長さにされている。通信装置１は、タッチパネル１００のタッチ位置検出用の電極を、無線通信のアンテナとして使用することで、タッチ位置検出を行いつつ、無線通信を行うことができる。また、通信装置１は、タッチパネル１００のタッチ位置検出用の電極を、無線通信のアンテナとして使用することで、別途、無線通信用のアンテナを設けなくてもよい。これにより、通信装置１の設計が容易になる。即ち、通信装置１の意匠の制約が軽減される。
【００４８】
通信装置１によれば、無線通信の電波の波長に基づく、アンテナとして電極の長さが、表示画面２１０のサイズと合わない場合であっても、電極１２Ａ及び電極１３Ａのようにすることで、表示画面２１０の全領域に、電極を行き渡らせつつ、少なくとも１つの電極の長さを、無線通信の電波の波長に基づく長さにすることができる。
【００４９】
以上、本発明の実施形態を説明したが、これらはあくまで例示にすぎず、本発明はこれらに限定されるものではなく、特許請求の範囲の趣旨を逸脱しない限りにおいて、当業者の知識に基づく種々の変更が可能である。また、各構成例等は、可能な限りにおいて、組み合わされて実施され得る。
【符号の説明】
【００５０】
１            通信装置
２              制御部
１００          タッチパネル
１１Ａ−Ｅ        電極
１２Ａ−Ｇ        電極
１３Ａ−Ｇ        電極
２００          表示装置
２１０            表示画面
９０          コンピュータ
９１            プロセッサ
９２            メモリ
９３            記憶部
９４            入力部
９５            出力部
９６            通信制御部
【図１】
2018049463.tif 000003
【図２】
2018049463.tif 000004
【図３】
2018049463.tif 000005
【図４】
2018049463.tif 000006
【図５】
2018049463.tif 000007
【図６】
2018049463.tif 000008
【図７】
2018049463.tif 000009